【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、複数の螺子留め孔が設けられた２本の棒状の寄り止め部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにする
ことを特徴とするパレット用吊り上げ補助具。
【請求項２】
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、Ｌ型断面形状をなし、複数の螺子留め孔が設けられた２本の棒状の寄り止め部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにする
ことを特徴とするパレット用吊り上げ補助具。
【請求項３】
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、Ｌ型断面形状をなし、複数の螺子留め孔が設けられた２本の棒状の寄り止め部材と、
クレーンなどの荷役機械の先端に取り付けられたフックまでの間で、支持部材の各端部を吊る複数のロープを中継するためのリング状のロープ中継部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにし、
支持部材の各端部を吊った複数のロープをロープ中継部材に締結し、クレーン先端のフックまでの間で一旦中継して懸垂する
ことを特徴とするパレット用吊り上げ補助具。
【請求項４】
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、Ｌ型断面形状をなし、複数の螺子留め孔が設けられた２本の棒状の寄り止め部材と、
クレーンなどの荷役機械の先端に取り付けられたフックまでの間で、支持部材の各端部を吊る複数のロープを中継するためのリング状のロープ中継部材と、
支持部材の各端部を吊る複数のロープがパレット上の載置した運搬物に接しないように支持部材のロープを各端部側のそれぞれで締結する、ロープ中継部材を備えた間隔保持部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにし、
支持部材の各端部を吊った複数のロープを間隔保持部材に取り付けられたロープ中継部材に締結し、
各ロープ中継部材からクレーン先端のフックまでの間で一旦中継して懸垂する
ことを特徴とするパレット用吊り上げ補助具。
【手続補正２】
【補正対象書類名】明細書
【補正対象項目名】００１０
【補正方法】変更
【補正の内容】
【００１０】
本発明は、
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、複数の螺子留め孔が設けられた２本の棒状の寄り止め部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにする
ことを特徴とするパレット用吊り上げ補助具である。
【手続補正３】
【補正対象書類名】明細書
【補正対象項目名】００１１
【補正方法】変更
【補正の内容】
【００１１】
本発明に係るパレット用吊り上げ補助具は、支持部材と寄り止め部材とからなる。
支持部材は、パレットの貫通開口部に挿通する棒状の部材である。
支持部材は、丸型断面形状でも角型断面形状でも良い。
この支持部材によってパレットごと運搬物を引き上げる。
本発明に係るパレット用吊り上げ補助具における支持部材は、２本以上使用する。
支持部材の両端部には、支持部材の軸方向と直交するように板状のプレートが取り付けられている。
プレートは、両端部付近に貫通孔を有する。
この貫通孔は、寄り止め部材の螺子留め孔とともに、ボルトを挿通して螺子留めするためのものである。
寄り止め部材は、プレートと同じ幅の板状のフラットバーである。
この寄り止め部材の螺子留め孔を支持部材のプレートの貫通孔と重ね合わせ、ここにボルトを挿通して螺子留めする。
これにより、支持部材の寄り止めを防止できる。
寄り止め部材の螺子留め孔は、予め複数設けておくことで、支持部材の本数が増えたり、または、支持部材同士の間隔が短い場合にも、寄り止め部材の螺子留め孔と支持部材のプレートの貫通孔との重ね合わせの調節が可能になる。
【手続補正４】
【補正対象書類名】明細書
【補正対象項目名】００１２
【補正方法】変更
【補正の内容】
【００１２】
本発明は、
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、Ｌ型断面形状をなし、複数の螺子留め孔が設けられた２本の棒状の寄り止め部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにする
ことを特徴とするパレット用吊り上げ補助具である。
【手続補正５】
【補正対象書類名】明細書
【補正対象項目名】００１３
【補正方法】変更
【補正の内容】
【００１３】
本発明に係るパレット用吊り上げ補助具は、寄り止め部材の形状が、Ｌ型断面形状をなしたアングルバーであることを特徴とするものである。
これによって、板状のフラットバーに比べて、アングルバーの軸周方向に対する捻りに高い抗力を得ることができ、確実に寄り止めを防止し、吊り上げ時、運搬時の安定性が増す。
【手続補正６】
【補正対象書類名】明細書
【補正対象項目名】００１４
【補正方法】変更
【補正の内容】
【００１４】
本発明は、
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、Ｌ型断面形状をなし、複数の螺子留め孔が設けられた２本の棒状の寄り止め部材と、
クレーンなどの荷役機械の先端に取り付けられたフックまでの間で、支持部材の各端部を吊る複数のロープを中継するためのリング状のロープ中継部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにし、
支持部材の各端部を吊った複数のロープをロープ中継部材に締結し、クレーン先端のフックまでの間で一旦中継して懸垂する
ことを特徴とするパレット用吊り上げ補助具である。
【手続補正７】
【補正対象書類名】明細書
【補正対象項目名】００１５
【補正方法】変更
【補正の内容】
【００１５】
本発明に係るパレット用吊り上げ補助具は、
支持部材の各端部を吊る複数のロープを中継するリング状のロープ中継部材を備えたことを特徴とするパレット用吊り上げ補助具である。
ロープ中継部材とは、支持部材の各端部を吊った複数のロープを、クレーン先端のフックまでの間で一旦中継して懸垂するためのものである。
リング状の形状をなしたロープ中継部材が、支持部材の各端部を吊った複数のロープを束ねることで、ロープ中継部材からクレーン先端のフックまでの間は１本のロープで懸垂することができるため、何本ものロープをフックに吊下げることがなく、作業性が向上する。
【手続補正８】
【補正対象書類名】明細書
【補正対象項目名】００１６
【補正方法】変更
【補正の内容】
【００１６】
本発明は、
パレット上に載置した運搬物をパレットごとクレーンなどの荷役機械で吊って吊り上げる際に使用するパレット用の吊り上げ補助具であって、
運搬物を水平に吊り上げるためにパレットの貫通開口部に挿通される、貫通孔を有する板状のプレートが両端部に取り付けられた２本の棒状の支持部材と、
支持部材が中央に引き寄せられないように間隔保持材として機能する、Ｌ型断面形状をなし、複数の螺子留め孔が設けられた２本の棒状の寄り止め部材と、
クレーンなどの荷役機械の先端に取り付けられたフックまでの間で、支持部材の各端部を吊る複数のロープを中継するためのリング状のロープ中継部材と、
支持部材の各端部を吊る複数のロープがパレット上の載置した運搬物に接しないように支持部材のロープを各端部側のそれぞれで締結する、ロープ中継部材を備えた間隔保持部材と、
からなり、
支持部材をパレットの貫通開口部に挿通したあと、
寄り止め部材の螺子留め孔が支持部材の貫通孔に重なるように、寄り止め部材を支持部材の端部に当接させ、
重なり合った螺子留め孔と貫通孔とを螺子留めすることによって支持部材が中央に引き寄せられないようにし、
支持部材の各端部を吊った複数のロープを間隔保持部材に取り付けられたロープ中継部材に締結し、
各ロープ中継部材からクレーン先端のフックまでの間で一旦中継して懸垂する
ことを特徴とするパレット用吊り上げ補助具である。
【手続補正９】
【補正対象書類名】明細書
【補正対象項目名】００１７
【補正方法】変更
【補正の内容】
【００１７】
本発明に係るパレット用吊り上げ補助具は、ロープ中継部材が、支持部材と同じ長さの間隔保持部材の両端部に形成されていることを特徴とするものである。
ロープ中継部材は、支持部材の各端部を吊った複数のロープを１点で束ねることになるが、運搬物が大きい場合には、ロープが運搬物に接触してしまい、運搬物との摩擦によってロープが磨耗し、運搬中にロープが切れてしまうことがある。
そこで、支持部材の各端部を吊った複数のロープが運搬物に接触しないように、支持部材の各端部を吊った複数のロープを２点（支持部材と同じ長さの間隔保持部材の両端部）で束ね、ロープ中継部材からクレーン先端のフックまでの間は２本のロープで懸垂することができるようにしたものである。
これによれば、支持部材の各端部を吊ったロープは、支持部材の両側で、鉛直上方向にあるロープ中継部材でそれぞれ束ねられ、２箇所のロープ中継部材からクレーン先端のフックまでの間を２本のロープで懸垂することで、運搬物に接触することなく、運搬物を運搬できる。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
本発明に係るパレット用吊り上げ補助具は、間隔保持部材が、支持部材であることを特徴とするものである。
これによれば、使用部材は、支持部材と寄り止め部材の２種類のみで足り、作業性、経済性に優れたパレット用吊り上げ補助具を提供できる。
なお、間隔保持部材として支持部材を使用した場合のロープ中継部材は、支持部材の貫通孔に取り付ける。
ロープ中継部材は、例えば、シャックルなどが使用できる。